(57)【特許請求の範囲】
【請求項１】
音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別部と、
上記人物画像登録判別部で、上記通話相手の人物画像が登録されているものと判別された場合に、上記メモリに記憶されている複数登録設定情報に基づいて、上記通話相手に対して複数の人物画像の登録が許可されているか否かを判別する複数登録判別部と、
上記テレビ電話の通話を開始した上記通話相手の撮像位置が安定する可能性の高い時間として予め定められた、上記テレビ電話の通話開始から一定時間の経過を検出する計時部と、
上記人物画像登録判別部で、上記通話相手の人物画像が登録されていないものと判別された場合、及び上記人物画像登録判別部で、上記通話相手の人物画像が登録されているものと判別され、かつ、上記複数登録判別部で、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、上記通話相手から受信した画像を、当該通話相手の人物画像として取り込む安定人物画像取込部と、
上記安定人物画像取込部で取り込まれた上記人物画像を、上記通話相手の人物画像として上記メモリに自動的に登録する人物画像自動登録部と、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部と
を有する情報処理装置。
【請求項２】
電子メールの受信時に、この受信した電子メールの発信元のユーザの電子メールアドレスに基づいて、少なくとも各ユーザの電子メールアドレス及び該各ユーザの電子メールアドレスに関連付けされた人物画像が記憶されたメモリを参照し、当該発信元のユーザの人物画像が登録されているか否かを判別する人物画像登録判別部と、
上記人物画像登録判別部で、上記発信元のユーザの人物画像が登録されていないものと判別された場合、上記受信した電子メールに添付画像ファイルが添付されているか否かを判別する添付画像ファイル判別部と、
上記添付画像ファイル判別部で、上記添付画像ファイルが添付されていないものと判別された場合、上記受信した電子メールの表題、又は本文から所定文字数のテキストデータを抽出するテキストデータ抽出部と、
上記添付画像ファイル判別部で添付画像ファイルの存在が検出された場合、この添付画像ファイルを、上記受信した電子メールの発信元のユーザの人物画像として取り込み、上記添付画像ファイル判別部で添付画像ファイルの存在が検出されなかった場合、上記テキストデータ抽出部で抽出された上記テキストデータを、上記受信した電子メールの発信元のユーザの人物画像の代わりに取り込む人物画像取込部と、
上記人物画像取込部で取り込まれた上記添付画像ファイルの人物画像、或いは上記テキストデータを、上記電子メールの発信元のユーザの人物画像として上記メモリに自動的に登録する人物画像自動登録部と
を有する情報処理装置。
【請求項３】
請求項２に記載の情報処理装置であって、
上記テキストデータ抽出部は、上記受信した電子メールの表題、及び／又は、本文から、所定の定型文を除去したうえで、上記所定文字数のテキストデータの抽出を行うこと
と特徴とする情報処理装置。
【請求項４】
当該情報処理装置が設けられる機器の充電時、或いは現在時刻が所定の時刻となった際に、少なくとも各ユーザの電話番号、電子メールアドレス、該各ユーザの電話番号及び電子メールアドレスに関連付けされた人物画像が記憶されたメモリを参照し、人物画像が登録されていないユーザを検出する人物画像未登録ユーザ検出部と、
上記人物画像未登録ユーザ検出部で人物画像の未登録が検出されたユーザの電話番号に基づいて、通話履歴が記憶された通話履歴メモリから、当該ユーザに対応する通話日時を検出する通話日時検出部と、
上記通話日時検出部で、上記人物画像が未登録となっているユーザの通話日時が検出されなかった場合、当該ユーザの電子メールアドレスに基づいて、送受信された電子メールが記憶されている電子メールメモリから、当該ユーザに対応する電子メールを検出する電子メール検出部と、
上記通話日時検出部で上記人物画像の未登録が検出されたユーザに対応する通話日時が検出された場合、この通話日時を上記ユーザの人物画像として取り込み、上記電子メール検出部で、上記人物画像の未登録が検出されたユーザに対応する電子メールが検出された場合、この電子メールの表題又は本文の所定文字数のテキストデータを上記ユーザの人物画像の代わりに取り込む人物画像取込部と、
上記人物画像取込部で取り込まれた上記通話日時、或いは上記テキストデータを、上記人物画像が未登録となっているユーザの人物画像として上記メモリに自動的に登録する人物画像自動登録部と
を有する情報処理装置。
【請求項５】
人物画像登録判別部が、音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別ステップと、
上記人物画像登録判別ステップで、上記通話相手の人物画像が登録されているものと判別された場合に、複数登録判別部が、上記メモリに記憶されている複数登録設定情報に基づいて、上記通話相手に対して複数の人物画像の登録が許可されているか否かを判別する複数登録判別ステップと、
計時部が、上記テレビ電話の通話を開始した上記通話相手の撮像位置が安定する可能性の高い時間として予め定められた、上記テレビ電話の通話開始から一定時間の経過を検出するステップと、
上記人物画像登録判別ステップで、上記通話相手の人物画像が登録されていないものと判別された場合、及び上記人物画像登録判別ステップで、上記通話相手の人物画像が登録されているものと判別され、かつ、上記複数登録判別ステップで、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、安定人物画像取込部が、上記通話相手から受信した画像を当該通話相手の人物画像として取り込む安定人物画像取込ステップと、
上記安定人物画像取込ステップで取り込まれた上記人物画像を、人物画像自動登録部が、上記通話相手の人物画像として上記メモリに自動的に登録する人物画像自動登録ステップと、
上記メモリに通話相手の人物画像が複数登録されている場合、切り替え表示制御部が、少なくとも上記発着信したテレビ電話の呼び出し処理を行っている間、該メモリに登録されている上記通話相手の複数の人物画像を所定時間毎に切り替えて表示部に出力する切り替え表示制御ステップと
を有する情報処理方法。
【請求項６】
音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別部としてコンピュータを機能させ、
コンピュータを上記人物画像登録判別部として機能させることで、上記通話相手の人物画像が登録されているものと判別された場合に、上記メモリに記憶されている複数登録設定情報に基づいて、上記通話相手に対して複数の人物画像の登録が許可されているか否かを判別する複数登録判別部としてコンピュータを機能させ、
計時部からの計時情報に基づいて、上記テレビ電話の通話を開始した上記通話相手の撮像位置が安定する可能性の高い時間として予め定められた、上記テレビ電話の通話開始から一定時間の経過を検出する撮像位置安定時間検出部としてコンピュータを機能させ、
コンピュータを上記人物画像登録判別部として機能させることで、上記通話相手の人物画像が登録されていないものと判別された場合、及びコンピュータを上記人物画像登録判別部として機能させることで、上記通話相手の人物画像が登録されているものと判別され、かつ、コンピュータを上記複数登録判別部として機能させることで、上記通話相手に対する複数の人物画像の登録が許可されているものと判別された場合、コンピュータを上記撮像位置安定時間検出部として機能させることで、上記テレビ電話の通話を開始した上記通話相手の撮像位置が安定する可能性の高い時間として予め定められた、上記テレビ電話の通話開始から一定時間の経過が検出されたタイミングで、上記通話相手から受信した画像を、当該通話相手の人物画像として取り込む安定人物画像取込部としてコンピュータを機能させ、
コンピュータを上記安定人物画像取込部として機能させることで取り込まれた上記人物画像を、上記通話相手の人物画像として上記メモリに自動的に登録する人物画像自動登録部としてコンピュータを機能させ、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部としてコンピュータを機能させること
を特徴とする情報処理プログラム。
【請求項７】
音声及び画像を互いに送受信するテレビ電話通話を行う通信部と、
上記テレビ電話の発着信を検出する発着信検出部と、
少なくとも各ユーザの電話番号と、該各ユーザの電話番号に関連付けされた人物画像と、複数の人物画像の登録が許可されているか否かを示す各ユーザ毎の複数登録設定情報とが記憶されたメモリと、
上記発着信検出部で、上記テレビ電話の発着信が検出された際に、通話相手の電話番号に基づいて上記メモリを参照し、当該通話相手の人物画像が登録されているか否かを判別する人物画像登録判別部と、
上記人物画像登録判別部で、上記通話相手の人物画像が登録されているものと判別された場合に、上記メモリに記憶されている複数登録設定情報に基づいて、上記通話相手に対して複数の人物画像の登録が許可されているか否かを判別する複数登録判別部と、
上記テレビ電話の通話を開始した上記通話相手の撮像位置が安定する可能性の高い時間として予め定められた、上記テレビ電話の通話開始から一定時間の経過を検出する計時部と、
上記人物画像登録判別部で、上記通話相手の人物画像が登録されていないものと判別された場合、及び上記人物画像登録判別部で、上記通話相手の人物画像が登録されているものと判別され、かつ、上記複数登録判別部で、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、上記通話相手から受信した画像を、当該通話相手の人物画像として取り込む安定人物画像取込部と、
上記安定人物画像取込部で取り込まれた上記人物画像を、上記通話相手の人物画像として上記メモリに自動的に登録する人物画像自動登録部と、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部と
を有する携帯端末装置。
【請求項８】
電子メールの受信時に、人物画像登録判別部が、この受信した電子メールの発信元のユーザの電子メールアドレスに基づいて、少なくとも各ユーザの電子メールアドレス及び該各ユーザの電子メールアドレスに関連付けされた人物画像が記憶されたメモリを参照し、当該発信元のユーザの人物画像が登録されているか否かを判別する人物画像登録判別ステップと、
上記人物画像登録判別ステップで、上記発信元のユーザの人物画像が登録されていないものと判別された場合、添付画像ファイル判別部が、上記受信した電子メールに添付画像ファイルが添付されているか否かを判別する添付画像ファイル判別ステップと、
上記添付画像ファイル判別ステップで、上記添付画像ファイルが添付されていないものと判別された場合、テキストデータ抽出部が、上記受信した電子メールの表題、又は本文から所定文字数のテキストデータを抽出するテキストデータ抽出ステップと、
上記添付画像ファイル判別ステップで添付画像ファイルの存在が検出された場合、人物画像取込部が、この添付画像ファイルを、上記受信した電子メールの発信元のユーザの人物画像として取り込み、上記添付画像ファイル判別ステップで添付画像ファイルの存在が検出されなかった場合、上記人物画像取込部が、上記テキストデータ抽出部で抽出された上記テキストデータを、上記受信した電子メールの発信元のユーザの人物画像の代わりに取り込む人物画像取込ステップと、
人物画像自動登録部が、上記人物画像取込ステップで取り込まれた上記添付画像ファイルの人物画像、或いは上記テキストデータを、上記電子メールの発信元のユーザの人物画像として上記メモリに自動的に登録する人物画像自動登録ステップと
を有する情報処理方法。
【請求項９】
電子メールの受信時に、この受信した電子メールの発信元のユーザの電子メールアドレスに基づいて、少なくとも各ユーザの電子メールアドレス及び該各ユーザの電子メールアドレスに関連付けされた人物画像が記憶されたメモリを参照し、当該発信元のユーザの人物画像が登録されているか否かを判別する人物画像登録判別部としてコンピュータを機能させ、
コンピュータを上記人物画像登録判別部として機能させることで、上記発信元のユーザの人物画像が登録されていないものと判別された場合、上記受信した電子メールに添付画像ファイルが添付されているか否かを判別する添付画像ファイル判別部としてコンピュータを機能させ、
コンピュータを上記添付画像ファイル判別部として機能させることで、上記添付画像ファイルが添付されていないものと判別された場合、上記受信した電子メールの表題、又は本文から所定文字数のテキストデータを抽出するテキストデータ抽出部としてコンピュータを機能させ、
コンピュータを上記添付画像ファイル判別部として機能させることで、上記添付画像ファイルの存在が検出された場合、この添付画像ファイルを、上記受信した電子メールの発信元のユーザの人物画像として取り込み、コンピュータを上記添付画像ファイル判別部として機能させることで、上記添付画像ファイルの存在が検出されなかった場合、上記テキストデータ抽出部で抽出された上記テキストデータを、上記受信した電子メールの発信元のユーザの人物画像の代わりに取り込む人物画像取込部としてコンピュータを機能させ、
コンピュータを上記人物画像取込部として機能させることで取り込まれた上記添付画像ファイルの人物画像、或いは上記テキストデータを、上記電子メールの発信元のユーザの人物画像として上記メモリに自動的に登録する人物画像自動登録部としてコンピュータを機能させる
情報処理プログラム。
【請求項１０】
電子メールの受信時に、この受信した電子メールの発信元のユーザの電子メールアドレスに基づいて、少なくとも各ユーザの電子メールアドレス及び該各ユーザの電子メールアドレスに関連付けされた人物画像が記憶されたメモリを参照し、当該発信元のユーザの人物画像が登録されているか否かを判別する人物画像登録判別部と、
上記人物画像登録判別部により、上記発信元のユーザの人物画像が登録されていないものと判別された場合、上記受信した電子メールに添付画像ファイルが添付されているか否かを判別する添付画像ファイル判別部と、
上記添付画像ファイル判別部により、上記添付画像ファイルが添付されていないものと判別された場合、上記受信した電子メールの表題、又は本文から所定文字数のテキストデータを抽出するテキストデータ抽出部と、
上記添付画像ファイル判別部により、上記添付画像ファイルの存在が検出された場合、この添付画像ファイルを、上記受信した電子メールの発信元のユーザの人物画像として取り込み、上記添付画像ファイルの存在が検出されなかった場合、上記テキストデータ抽出部で抽出された上記テキストデータを、上記受信した電子メールの発信元のユーザの人物画像の代わりに取り込む人物画像取込部と、
上記人物画像取込部により取り込まれた上記添付画像ファイルの人物画像、或いは上記テキストデータを、上記電子メールの発信元のユーザの人物画像として上記メモリに自動的に登録する人物画像自動登録部と
を有する携帯端末装置。
【発明の詳細な説明】
【技術分野】
【０００１】
本発明は、例えば携帯電話機、ＰＨＳ電話機（PHS：Personal Handyphone System）、通信機能を備えたＰＤＡ装置（PDA：Personal Digital Assistant）やノート型のパーソナルコンピュータ装置等の携帯機器に適用して好適な情報処理装置、情報処理方法、情報処理プログラム、及び携帯端末装置に関し、特に電話帳に対する各ユーザの人物画像の登録を自動化した情報処理装置、情報処理方法、情報処理プログラム、及び携帯端末装置に関する。
【背景技術】
【０００２】
特開２００５−２４４８１５号の公開特許公報（特許文献１）の携帯端末装置において、各ユーザの電話番号や電子メールアドレス等の個人情報と共に、当該ユーザの顔写真等の人物画像を一つの表示画面に纏めて表示可能な携帯端末装置が開示されている。
【０００３】
この携帯端末装置は、電話帳部に対して、登録番号、個人や法人の氏名或いは名称、電話番号、電子メールアドレス、グループ名、住所、誕生日、記念日等の個人情報を登録する。また、写真管理部に対して、電話帳の登録番号に関連付けて、当該登録番号に対応するユーザの顔写真等の人物画像を登録する。そして、表示時には、当該表示するユーザの個人情報を上記電話帳から読み出すと共に、このユーザの登録番号に関連付けされて登録されている人物画像を上記写真管理部から読み出し、これらを纏めて表示部に表示する。
【０００４】
これにより、所望のユーザを個人情報と共に顔写真等で選別することができるため、電話や電子メール等で連絡を行うユーザを特定し易くすることができる。
【０００５】
【特許文献１】特開２００５−２４４８１５号公報（第６頁及び第８頁：図６、図７及び図１４）
【発明の開示】
【発明が解決しようとする課題】
【０００６】
しかし、この特許文献１に開示されている携帯端末装置の場合、ユーザの顔写真等の人物画像を表示するには、上記写真管理部に対して、表示する人物画像を予め手動で（＝能動的に）登録しておく必要がある。この人物画像の登録作業は、各ユーザ毎に行う必要があるため大変面倒な作業となる。そして、このように作業が面倒であることから、電話帳内において、電話番号や電子メールアドレスの登録は行っているが、人物画像の登録は行っていないユーザの登録欄が増えてしまい（＝電話番号や電子メールアドレスのみが登録されている登録欄が増えてしまい）、折角の人物画像の表示機能が生かされていないというのが現状である。
【０００７】
本発明は上述の課題に鑑みてなされたものであり、電話帳内の各ユーザの登録欄に対して、対応するユーザの人物画像をそれぞれ自動的に登録可能とすることで、面倒な人物画像の登録作業を軽減することができるような情報処理装置、情報処理方法、情報処理プログラム、及び携帯端末装置の提供を目的とする。
【課題を解決するための手段】
【０００８】
本発明に係る情報処理装置は、上述の課題を解決するための手段として、
音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別部と、
上記人物画像登録判別部で、上記通話相手の人物画像が登録されているものと判別された場合に、上記メモリに記憶されている複数登録設定情報に基づいて、上記通話相手に対して複数の人物画像の登録が許可されているか否かを判別する複数登録判別部と、
上記テレビ電話の通話を開始した上記通話相手の撮像位置が安定する可能性の高い時間として予め定められた、上記テレビ電話の通話開始から一定時間の経過を検出する計時部と、
上記人物画像登録判別部で、上記通話相手の人物画像が登録されていないものと判別された場合、及び上記人物画像登録判別部で、上記通話相手の人物画像が登録されているものと判別され、かつ、上記複数登録判別部で、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、上記通話相手から受信した画像を、当該通話相手の人物画像として取り込む安定人物画像取込部と、
上記安定人物画像取込部で取り込まれた上記人物画像を、上記通話相手の人物画像として上記メモリに自動的に登録する人物画像自動登録部と、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部と
を有する。
【０００９】
また、本発明に係る情報処理方法は、上述の課題を解決するための手段として、
人物画像登録判別部が、音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別ステップと、
上記人物画像登録判別ステップで、上記通話相手の人物画像が登録されているものと判別された場合に、複数登録判別部が、上記メモリに記憶されている複数登録設定情報に基づいて、上記通話相手に対して複数の人物画像の登録が許可されているか否かを判別する複数登録判別ステップと、
計時部が、上記テレビ電話の通話を開始した上記通話相手の撮像位置が安定する可能性の高い時間として予め定められた、上記テレビ電話の通話開始から一定時間の経過を検出するステップと、
上記人物画像登録判別ステップで、上記通話相手の人物画像が登録されていないものと判別された場合、及び上記人物画像登録判別ステップで、上記通話相手の人物画像が登録されているものと判別され、かつ、上記複数登録判別ステップで、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、安定人物画像取込部が、上記通話相手から受信した画像を当該通話相手の人物画像として取り込む安定人物画像取込ステップと、
上記安定人物画像取込ステップで取り込まれた上記人物画像を、人物画像自動登録部が、上記通話相手の人物画像として上記メモリに自動的に登録する人物画像自動登録ステップと、
上記メモリに通話相手の人物画像が複数登録されている場合、切り替え表示制御部が、少なくとも上記発着信したテレビ電話の呼び出し処理を行っている間、該メモリに登録されている上記通話相手の複数の人物画像を所定時間毎に切り替えて表示部に出力する切り替え表示制御ステップと
を有する。
【００１０】
また、本発明に係る情報処理プログラムは、上述の課題を解決するために、
音声及び画像を互いに送受信して通話を行うテレビ電話の発着信時に、通話相手の電話番号に基づいて、少なくとも各ユーザの電話番号と、該各ユーザの電話番号に関連付けされた人物画像と、複数の人物画像の登録が許可されているか否かを示す各ユーザ毎の複数登録設定情報とが記憶されたメモリを参照し、当該通話相手の人物画像が登録されているか否かを判別する人物画像登録判別部としてコンピュータを機能させ、
コンピュータを上記人物画像登録判別部として機能させることで、上記通話相手の人物画像が登録されているものと判別された場合に、上記メモリに記憶されている複数登録設定情報に基づいて、上記通話相手に対して複数の人物画像の登録が許可されているか否かを判別する複数登録判別部としてコンピュータを機能させ、
計時部からの計時情報に基づいて、上記テレビ電話の通話を開始した上記通話相手の撮像位置が安定する可能性の高い時間として予め定められた、上記テレビ電話の通話開始から一定時間の経過を検出する撮像位置安定時間検出部としてコンピュータを機能させ、
コンピュータを上記人物画像登録判別部として機能させることで、上記通話相手の人物画像が登録されていないものと判別された場合、及びコンピュータを上記人物画像登録判別部として機能させることで、上記通話相手の人物画像が登録されているものと判別され、かつ、コンピュータを上記複数登録判別部として機能させることで、上記通話相手に対する複数の人物画像の登録が許可されているものと判別された場合、コンピュータを上記撮像位置安定時間検出部として機能させることで、上記テレビ電話の通話を開始した上記通話相手の撮像位置が安定する可能性の高い時間として予め定められた、上記テレビ電話の通話開始から一定時間の経過が検出されたタイミングで、上記通話相手から受信した画像を、当該通話相手の人物画像として取り込む安定人物画像取込部としてコンピュータを機能させ、
コンピュータを上記安定人物画像取込部として機能させることで取り込まれた上記人物画像を、上記通話相手の人物画像として上記メモリに自動的に登録する人物画像自動登録部としてコンピュータを機能させ、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部としてコンピュータを機能させる。
【００１１】
また、本発明に係る携帯端末装置は、上述の課題を解決するための手段として、
音声及び画像を互いに送受信するテレビ電話通話を行う通信部と、
上記テレビ電話の発着信を検出する発着信検出部と、
少なくとも各ユーザの電話番号と、該各ユーザの電話番号に関連付けされた人物画像と、複数の人物画像の登録が許可されているか否かを示す各ユーザ毎の複数登録設定情報とが記憶されたメモリと、
上記発着信検出部で、上記テレビ電話の発着信が検出された際に、通話相手の電話番号に基づいて上記メモリを参照し、当該通話相手の人物画像が登録されているか否かを判別する人物画像登録判別部と、
上記人物画像登録判別部で、上記通話相手の人物画像が登録されているものと判別された場合に、上記メモリに記憶されている複数登録設定情報に基づいて、上記通話相手に対して複数の人物画像の登録が許可されているか否かを判別する複数登録判別部と、
上記テレビ電話の通話を開始した上記通話相手の撮像位置が安定する可能性の高い時間として予め定められた、上記テレビ電話の通話開始から一定時間の経過を検出する計時部と、
上記人物画像登録判別部で、上記通話相手の人物画像が登録されていないものと判別された場合、及び上記人物画像登録判別部で、上記通話相手の人物画像が登録されているものと判別され、かつ、上記複数登録判別部で、上記通話相手に対する複数の人物画像の登録が許可されているものと判別された場合、上記テレビ電話の通話を開始した上記通話相手の撮像位置が安定する可能性の高い時間として予め定められた、上記テレビ電話の通話開始から一定時間の経過が上記計時部で検出されたタイミングで、上記通話相手から受信した画像を、当該通話相手の人物画像として取り込む安定人物画像取込部と、
上記安定人物画像取込部で取り込まれた上記人物画像を、上記通話相手の人物画像として上記メモリに自動的に登録する人物画像自動登録部と、
上記メモリに通話相手の人物画像が複数登録されている場合、少なくとも上記発着信したテレビ電話の呼び出し処理を行っている間、該メモリに登録されている上記通話相手の複数の人物画像を所定時間毎に切り替えて表示部に出力する切り替え表示制御部と
を有する。
【００１２】
このような本発明は、テレビ電話の通話時に当該通話相手から受信した画像を、その通話相手の人物画像としてメモリに登録することで、人物画像の登録の自動化を図る。また、計時部が、上記テレビ電話の通話を開始した上記通話相手の撮像位置が安定する可能性の高い時間として予め定められた、上記テレビ電話の通話開始から一定時間の経過を検出する。そして、この一定時間が経過することで、上記テレビ電話の通話を開始した上記通話相手の撮像位置が安定した可能性の高いタイミングで、通話相手から受信した画像の取り込みを行うことで、通話相手側の撮像位置が安定した状態で撮像された人物画像の取り込みを行う。さらに、上記メモリに通話相手の人物画像が複数登録されている場合、少なくとも発着信したテレビ電話の呼び出し処理を行っている間、該メモリに登録されている上記通話相手の複数の人物画像を所定時間毎に切り替えて表示部に出力することで、その通話相手の登録されている全ての人物画像を表示する。
【発明の効果】
【００１３】
本発明は、電話番号等の個人情報と共にメモリに登録する人物画像を、自動的に登録することができ、当該人物画像の面倒な登録作業を軽減することができる。また、上記テレビ電話の通話を開始した上記通話相手の撮像位置が安定する可能性の高い時間として予め定められた、上記テレビ電話の通話開始から一定時間の経過を検出し、この一定時間が経過することで、上記テレビ電話の通話を開始した上記通話相手の撮像位置が安定した可能性の高いタイミングで、通話相手から受信した画像の取り込みを行うことで、通話相手側の撮像位置が安定した状態で撮像された人物画像の取り込みを行うことができる。また、メモリに通話相手の人物画像が複数登録されている場合は、発着信したテレビ電話の呼び出し処理を行っている間、該メモリに登録されている上記通話相手の複数の人物画像を所定時間毎に切り替えて表示部に出力する。これにより、その通話相手の登録されている全ての人物画像を表示することができる。
【発明を実施するための最良の形態】
【００１４】
本発明は、携帯電話機に適用することができる。
【００１５】
［携帯電話機の電気構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等を表示するための表示部５とを有している。
【００１６】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００１７】
また、この携帯電話機は、現在時刻をカウントするタイマ１０と、音声通話の他、音声及び動画像を送受信することで通話を行うテレビ電話通話を行うための通信処理プログラム（コミュニケーションプログラム）等が記憶されたメモリ１１と、当該携帯電話機全体を制御する制御部１２とを有している。
【００１８】
メモリ１１には、上記コミュニケーションプログラムの他、電子メールの作成や送受信を制御するための電子メール管理プログラムと、カメラ部８の撮像制御や、カメラ部８で撮像され、或いはネットワークや入力端子を介して取り込まれた動画像、静止画像のビューワ機能を有するカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラム等の各種アプリケーションプログラムが記憶されている。
【００１９】
また、メモリ１１には、ユーザの所望のスケジュールが登録されるスケジュール帳と、ユーザの知人や友人等の静止画像（顔写真等の人物画像）、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像及び動画像と、送受信された電子メールと、電話、テレビ電話及び電子メールの発着信履歴等が記憶されている。
【００２０】
［電話帳に対する人物画像の自動登録動作］
この実施の形態の携帯電話機は、メモリ１１内の電話帳に登録されている各ユーザの人物画像等を自動的に登録可能となっている。
【００２１】
〔テレビ電話通話時における人物画像の自動登録動作〕
まず、この実施の形態の携帯電話機は、テレビ電話通話時に通話相手の携帯電話機から受信した人物画像を取り込んで、これを、対応するユーザの人物画像として自動的に登録するようになっている。図２のフローチャートに、この自動登録動作の流れを示す。制御部１２は、テレビ電話の発着信を検出すると、メモリ１１に記憶されている電話帳管理プログラムに基づいて、この図２のフローチャートに示す処理をスタートさせる。
【００２２】
ステップＳ１では、制御部１２が、発着信したテレビ電話の通話相手の電話番号に基づいて、メモリ１１に記憶されている電話帳を参照する。そして、ステップＳ２において、この通話相手の人物画像が登録されているか否かを判別する。
【００２３】
図３（ａ）は、電話帳に登録されている各ユーザの個人情報の表示例を示している。この図３（ａ）に示すように、当該実施の形態の携帯電話機の場合、電話帳に対しては、
・氏名（図中、○○○○が氏名）、
・人物画像（図中、空白の四角の表示領域が人物画像の表示領域）、
・登録番号（図中、０００が登録番号。入力を行ったユーザの順序で制御部１２が、０００、００１，００２・・・等のように自動的に付加。）、
・グループ（図中、「友人」との記載は友人グループであることを示す。）、
・電話番号
・電子メールアドレス
・住所
・着信音
等の個人情報の登録が可能となっている。
【００２４】
上記人物画像の表示領域は、人物画像が登録されていない場合、例えばグレー表示や空白表示等の、人物画像が未登録であることを示す表示がなされるようになっている。図３（ａ）は、人物画像が未登録の場合の表示例である。
【００２５】
上記ステップＳ２において、上記通話相手の人物画像が登録されていないものと判別した場合、制御部１２は、処理をステップＳ３に進める。これに対して、上記ステップＳ２において、上記通話相手の人物画像が登録されているものと判別した場合、制御部１２は、処理をステップＳ６に進める。
【００２６】
ここで、この実施の形態の携帯電話機の場合、電話帳に登録されている各ユーザ毎に、それぞれ複数の人物画像を登録可能となっている（＝一人のユーザに対して複数の人物画像を登録可能となっている。）。この人物画像の複数登録を行うか否かの設定は各ユーザ毎に設定可能となっており、この複数登録の有無を示す複数登録設定情報は、電話帳に登録された各ユーザの個人情報にそれぞれ関連付けされ、図１に示すようにメモリ１１に記憶されるようになっている。
【００２７】
このため、上記ステップＳ２において、上記通話相手の人物画像が登録済みであると判別することで処理をステップＳ６に進めると、制御部１２は、さらなる人物画像の登録が可能であるか否かを判別すべく、この通話相手の個人情報に関連付けされている上記複数登録設定情報をメモリ１１から読み出す。そして、この読み出した複数登録設定情報に基づいて、当該通話相手に対して人物画像の複数登録設定がなされているか否かを判別する。
【００２８】
複数登録設定がなされているものと判別した場合、制御部１２は処理をステップＳ３に進め、複数登録設定がなされていないものと判別した場合、制御部１２は、この通話相手の人物画像は既に登録済みであり、また、複数登録設定もなされていないため、そのままこの図２のフローチャートに示す全処理を終了する。
【００２９】
一方、上記ステップＳ２において、通話相手の人物画像が登録されていないものと判別し、また、上記ステップＳ６において、複数登録設定がなされているものと判別することで処理をステップＳ３に進めると、制御部１２は、このテレビ電話通話の通話相手の携帯電話機から受信した動画像を形成する１フレーム分の静止画像を、当該通話相手の人物画像として取り込み、処理をステップＳ４に進める。
【００３０】
テレビ電話通話を行う場合、通話相手の携帯電話機に設けられているカメラ部で撮像された当該通話相手の人物画像を受信するのであるが、通話開始直後においては、通話相手の携帯電話機側の撮像位置が安定しない状態で撮像された人物画像を受信する可能性が高い。
【００３１】
このため、制御部１２は、上記ステップＳ３で通話相手の携帯電話機から受信した動画像から上記人物画像の取り込みを行う際、タイマ１０からの計時情報に基づいて、通話開始時刻から例えば１０秒間の経過をカウントし、この１０秒が経過したタイミングで、上記１フレーム分の静止画像の取り込みを行う。これにより、通話相手側の撮像位置が安定した状態で撮像された人物画像の取り込みを行う可能性を高くすることができる。
【００３２】
次に、ステップＳ４では、制御部１２が、通信回路２の通信状態を検出することで、このテレビ電話による通話が終了したか否かを判別する。そして、この通話終了を検出したタイミングで処理をステップＳ５に進め、上記ステップＳ４で取り込んだ人物画像を、電話帳に登録されている当該通話相手の個人情報に関連付けてメモリ１１に記憶制御して、この図２のフローチャートに示す全処理を終了する。
【００３３】
これにより、電話帳に対して人物画像が登録されていないユーザのうち、上記テレビ電話の通話相手となったユーザの人物画像を自動的に登録することができる。制御部１２は、このように電話帳の個人情報に関連付けてメモリ１１に記憶した人物画像を、電話帳の個人情報の登録欄の表示時、音声電話やテレビ電話の発着信時、及び電子メールの発着信時等に表示部５に表示制御する。
【００３４】
図３（ｂ）は、このように人物画像が登録されたユーザの個人情報を電話帳から表示した場合の表示例である。この図３（ｂ）からわかるように、人物画像が登録されると、上記人物画像の表示領域に、テレビ電話通話時に取り込んだ当該ユーザの人物画像が表示されることとなる。
【００３５】
また、このユーザに対して複数登録設定が許可されている場合は、図３（ｃ）に示すように、上記人物画像の表示領域に、既に登録済みの人物画像と共に、テレビ電話通話時に取り込んだ当該ユーザの人物画像が表示されることとなる。なお、この図３（ｃ）に示す表示例は、上記人物画像の表示領域を４等分割し、各分割領域にそれぞれ人物画像を表示した例であるが、この他、図３（ａ）に示す通常の大きさの表示領域を複数設け、これら各表示領域にそれぞれ人物画像を表示する等、複数の人物画像を一覧的に表示する表示の仕方であれば、どのような表示の仕方をしてもよい。
【００３６】
〔受信した電子メールに基づく人物画像の自動登録動作〕
次に、この実施の形態の携帯電話機は、受信した電子メールに静止画像の添付ファイルが添付されていた場合、この静止画像から人物画像を抽出して、当該電子メールの発信元となるユーザの人物画像として自動的に登録するようになっている。また、受信した電子メールの「表題」、或いは受信した電子メールの「本文」に記載されている所定文字数のテキストデータを、当該電子メールの発信元となるユーザの人物画像として自動的に登録するようになっている。
【００３７】
図４のフローチャートに、この自動登録動作の流れを示す。制御部１２は、電子メールの受信を検出すると、メモリ１１に記憶されている電話帳管理プログラムに基づいて、この図４のフローチャートに示す処理をスタートさせる。
【００３８】
ステップＳ１１では、制御部１２が、受信した電子メールの電子メールアドレス（＝電子メールの発信元となるユーザの電子メールアドレス）に基づいて、メモリ１１に記憶されている電話帳を参照する。そして、ステップＳ１２において、この電子メールの発信元となるユーザの人物画像が登録されているか否かを判別する。
【００３９】
ステップＳ１２において、上記電子メールの発信元となるユーザの人物画像が登録されていないものと判別した場合、制御部１２は、ステップＳ１３に処理を進め、上記電子メールの発信元となるユーザの人物画像が登録されているものと判別した場合、制御部１２は、ステップＳ１７に処理を進め、上述の複数登録設定が許可されているか否かを判別し、複数登録設定が許可されている場合は処理をステップＳ１３に進め、複数登録設定が許可されていない場合は、そのままこの図４のフローチャートに示す全処理を終了する。
【００４０】
次に、ステップＳ１３では、上記電子メールの発信元となるユーザの人物画像が登録されていないため、或いは上記電子メールの発信元となるユーザに対して複数登録設定が許可されているため、制御部１２は、当該受信した電子メールに対して静止画像の添付ファイルが添付されているか否かを判別する。そして、この添付ファイルが添付されていないものと判別した場合、制御部１２は、処理をステップＳ１４に進め、添付ファイルが添付されているものと判別した場合、制御部１２は、処理をステップＳ１８に進める。
【００４１】
次に、上記添付ファイルの静止画像は、必ずしも人物の静止画像とは限らない。このため、制御部１２は、静止画像の添付ファイルの存在を検出することで処理をステップＳ１８に進めると、所定の顔認証技術を用いてその静止画像から人物画像の抽出を試みる。そして、ステップＳ１９において、上記静止画像から人物画像が抽出できたか否かを判別し、人物画像が抽出できなかった場合は処理をステップＳ１４に進め、人物画像が抽出できた場合は処理をステップＳ１６に進める。
【００４２】
ステップＳ１６に処理を進めた場合、制御部１２は、上記添付ファイルから抽出した人物画像を、その電子メールの発信元のユーザの人物画像として、電話帳に登録されている当該ユーザの個人情報に関連付けてメモリ１１に自動的に登録する。
【００４３】
上述のように、制御部１２は、このように電話帳の個人情報に関連付けてメモリ１１に記憶した人物画像を、電話帳の個人情報の登録欄の表示時、音声電話やテレビ電話の発着信時、及び電子メールの発着信時等に表示部５に表示制御する。このため、例えば電話帳から上記電子メールの発信元のユーザの個人情報の登録欄を表示した場合には、図５（ａ）に示すように、人物画像の表示領域に、上記添付ファイルから抽出した当該ユーザの人物画像が表示されることとなる。
【００４４】
一方、添付画像ファイルの存在を検出することなく処理をステップＳ１４に進めた場合、及び添付画像ファイルから人物画像を抽出することができず処理をステップＳ１４に進めた場合、制御部１２は、上記受信した電子メールに表題が付されているか否かを判別する。そして、上記受信した電子メールに表題が付されていない場合には処理をステップＳ１５に進め、上記受信した電子メールに表題が付されている場合には処理をステップＳ２０に進める。
【００４５】
表題の存在を検出することで処理をステップＳ２０に進めると、制御部１２は、例えば「Ｒｅ：」、「こんにちは」、「元気ですか」、「はじめまして」等の、文章の書き出しに良く用いられる定型文の存在を検出し、この定型文の存在を検出した場合処理をステップＳ２１に進め、定型文の存在を検出しなかった場合は処理をステップＳ２３に進める。
【００４６】
すなわち、この実施の形態の携帯電話機の場合、この電子メールの表題の文章、或いは電子メールの本文の文章を、人物画像が登録されていないユーザの人物画像の代わりに自動的に登録するのであるが、この場合、特徴的な文章を抽出して上記人物画像の代わりとして登録することが好ましい。
【００４７】
このため、制御部１２は、表題に対する定型文の存在を検出することで処理をステップＳ２１に進めると、この表題の文章から上記定型文を除去してステップＳ２２に処理を進める。ただ、表題の文章が例えば「こんにちは」との文章であった場合、この表題から定型文を除去すると、文章が成り立たない。このため、制御部１２は、ステップＳ２２において、定型文を除去した状態の表題の文字数は、例えば１０文字等の所定の文字数以上であるか否かを判別する。そして、定型文を除去することで表題の文字数が所定の文字数以下となってしまった場合は、この所定の文字数以下となった表題を上記人物画像として表示しても、あまり意味は無いため、表題を上記人物画像として登録する処理を中止して、処理をステップＳ１５に進める。
【００４８】
また、定型文を除去しても表題の文字数が所定の文字数以上である場合、制御部１２は、処理をステップＳ１６に進め、定型文を除去した表題のテキストデータを、その電子メールの発信元のユーザの人物画像として（＝発信元のユーザの人物画像の代わりに）、電話帳に登録されている当該ユーザの個人情報に関連付けてメモリ１１に自動的に登録する。
【００４９】
これに対して、上記ステップＳ２０において、表題から定型文の存在が検出されないことで処理をステップＳ２３に進めると、制御部１２は、この表題から例えば１０文字等の所定文字数のテキストデータを抽出して処理をステップＳ１６に進める。そして、この表題から抽出したテキストデータを、その電子メールの発信元のユーザの人物画像として、電話帳に登録されている当該ユーザの個人情報に関連付けてメモリ１１に自動的に登録する。
【００５０】
これにより、例えば電話帳から上記電子メールの発信元のユーザの個人情報の登録欄を表示した場合には、図５（ｂ）に示すように、人物画像の表示領域に、上記表題から抽出したテキストデータが、当該ユーザの人物画像の代わりに表示されることとなる。
【００５１】
なお、この図５（ｂ）に示す表示例は、受信した電子メールの表題が「本日の会議の場所です」であった場合の表示例である。この場合、この表題が、そのまま当該ユーザの人物画像の代わりに表示されることとなる（ステップＳ２３参照）。
【００５２】
或いは、この図５（ｂ）に示す表示例は、受信した電子メールの表題が「こんにちは、本日の会議の場所です」であった場合の表示例である。この場合、この表題から「こんにちは」の定型文が除去されて、残りの「本日の会議の場所です」のテキストデータが、当該ユーザの人物画像の代わりに表示されることとなる（ステップＳ２１参照）。
【００５３】
次に、上記ステップＳ１４において、受信した電子メールに表題が付されていなかった場合に処理をステップＳ１５に進めると、制御部１２は、受信した電子メールの本文から上述の定型文を除去したうえで、例えば１６文字等の所定文字数のテキストデータを抽出し、処理をステップＳ１６に進める。そして、このステップＳ１６において、この本文から抽出したテキストデータを、その電子メールの発信元のユーザの人物画像として、電話帳に登録されている当該ユーザの個人情報に関連付けてメモリ１１に自動的に登録する。
【００５４】
これにより、例えば電話帳から上記電子メールの発信元のユーザの個人情報の登録欄を表示した場合には、図５（ｃ）に示すように、人物画像の表示領域に、上記本文から抽出したテキストデータが、当該ユーザの人物画像の代わりに表示されることとなる。
【００５５】
なお、この図５（ｃ）に示す表示例は、受信した電子メールの本文が例えば「こんにちは。お元気ですか。会議は３階の打ち合わせ室で時間は１０：００〜です。」等の文書から「こんにちは」及び「お元気ですか」の定型文を除去し、「会議は３階の打ち合わせ室で時間は」との１６文字のテキストデータが表示された例である。
【００５６】
また、このユーザに対して複数登録設定が許可されている場合は、図５（ｄ）に示すように、上記人物画像の表示領域に、既に登録済みの人物画像と共に、上述の表題或いは本文から抽出したテキストデータが表示されることとなる。
【００５７】
〔通話履歴及び送受信した電子メールに基づく人物画像の自動登録動作〕
次に、この実施の形態の携帯電話機は、通話履歴や送受信した電子メールに基づいて、人物画像を自動的に登録するようになっている。図６のフローチャートに、この自動登録動作の流れを示す。制御部１２は、例えば当該携帯電話機の充電時、或いは現在時刻が午後１２時００分や午前０時００分等の所定時刻となったことを検出すると、メモリ１１に記憶されている電話帳管理プログラムに基づいて、この図６のフローチャートに示す処理をスタートさせる。
【００５８】
ステップＳ３１では、制御部１２が、電話帳の最初の登録番号のユーザの個人情報の登録欄を参照して、処理をステップＳ３２に進め、このステップＳ３２において、この最初の登録番号のユーザの人物画像が登録されているか否かを判別する。
【００５９】
すなわち、この実施の形態の携帯電話機の場合、電話帳に対して個人情報の入力がなされると、制御部１２は、この入力がなされたユーザの順序で、例えば０００、００１，００２・・・等のように自動的に登録番号を付加する。このため、制御部１２は、ステップＳ３１においては、まず、登録番号が「０００」のユーザの個人情報を参照し、ステップＳ３２において、この「０００」の登録番号のユーザの人物画像が登録されているか否かを判別することとなる。
【００６０】
次に、制御部１２は、上記ステップＳ３２において、上記最初の登録番号のユーザの人物画像が登録されていないものと判別した場合は、処理をステップＳ３３に進め、上記最初の登録番号のユーザの人物画像が登録されているものと判別した場合は、処理をステップＳ３９に進めて複数登録設定の有無を判別し、複数登録設定が許可されている場合は処理をステップＳ３３に進め、複数登録設定が許可されていない場合は処理をステップＳ３８に進める。
【００６１】
ステップＳ３３では、制御部１２が、メモリ１１に記憶されている発着信履歴に基づいて、上記最初の登録番号のユーザに対応する通話履歴が存在するか否かを判別し、通話履歴が存在しない場合には、処理をステップＳ３４に進め、通話履歴が存在する場合には、処理をステップＳ４０に進める。
【００６２】
上記通話履歴の存在を検出することで処理をステップＳ４０に進めると、制御部１２は、この最初の登録番号のユーザに対応する通話履歴から最新の通話履歴を検出する。そして、この最新の通話履歴から通話日時を抽出して処理をステップＳ３７に進め、この最新の通話日時を、上記最初の登録番号のユーザの人物画像としてメモリ１１に登録する。
【００６３】
これにより、例えば電話帳から上記最初の登録番号のユーザの個人情報の登録欄を表示した場合には、図７（ａ）に示すように、人物画像の表示領域に、上記通話履歴から抽出した最新の通話日時を示すテキストデータが、当該ユーザの人物画像の代わりに表示されることとなる。なお、この図７（ａ）に示す例は、上記ユーザに対応する最新の通話日時が「２００５年１２月２４日」で通話時間が「１分１８秒」であった場合の表示例である。
【００６４】
次に、上記最初の登録番号のユーザに対応する通話履歴の存在を検出することができず、処理をステップＳ３４に進めると、制御部１２は、メモリ１１に記憶されている送受信した電子メールの中から、この最初の登録番号のユーザに対応する電子メールを検出する。そして、この電子メールの存在を検出した場合には処理をステップＳ３５に進め、該電子メールの存在を検出できなかった場合には処理をステップＳ３８に進める。
【００６５】
次に、上記最初の登録番号のユーザに対応する電子メールの存在を検出することで処理をステップＳ３５に進めると、制御部１２は、メモリ１１に記憶されている送受信した電子メールのうち、同じ表題が付された電子メールの送受信数をカウントする。そして、この同じ表題が付された電子メールのうち、送受信数が一番多い表題の電子メールを検出して、ステップＳ３６に処理を進める。
【００６６】
具体的には、メモリ１１に記憶されている上記最初の登録番号のユーザに対応する電子メールのうち、例えば「本日の食事会について」との表題が付された電子メールが５通存在し、「会議の場所です」との表題がふされた電子メールが３通存在した場合、制御部１２は、上記ステップＳ３５において、上記５通存在する「本日の食事会について」との表題が付された電子メールを検出することとなる。なお、このような同じ表題の電子メールを検出する場合、制御部１２は、電子メールの返信時に表題に対して自動的に付加されることが多い「Ｒｅ：」との定型文を除去したうえで、当該検出を行うようになっている。
【００６７】
次に、制御部１２は、ステップＳ３６において、この検出した電子メールの中から最新の日時の電子メールを検出し、この最新の日時の電子メールの本文（或いは表題でもよい。）から、上述の定型文を除去したうえで、例えば１６文字等の所定文字数のテキストデータを抽出して処理をステップＳ３７に進める。
【００６８】
ステップＳ３７では、制御部１２が、この最新の日時の電子メールの本文から抽出したテキストデータを、上記最初の登録番号のユーザの人物画像としてメモリ１１に自動的に登録する。これにより、例えば電話帳から上記最初の登録番号のユーザの個人情報の登録欄を表示した場合には、図７（ｂ）に示すように、人物画像の表示領域に、上記最新の日時の電子メールの本文から抽出したテキストデータが、当該ユーザの人物画像の代わりに表示されることとなる。なお、この図７（ｂ）に示す例は、上記ユーザに対応する最新の日時の電子メールから、「○○駅の改札口で待ってます」とのテキストデータが抽出された場合の表示例である。
【００６９】
また、この最初の登録番号のユーザに対して複数登録設定が許可されている場合は、図７（ｃ）に示すように、上記人物画像の表示領域に、既に登録済みの人物画像と共に、上述の最新の通話日時を示すテキストデータや、上記最新の日時の電子メールの本文から抽出したテキストデータが並べて表示されることとなる。
【００７０】
次に、ステップＳ３８では、制御部１２が、電話帳に登録されている全てのユーザに対してこのような人物画像の自動登録処理が終了したか否かを判別し、全てのユーザに対する当該自動登録処理が終了したものと判別した場合には、そのままこの図６のフローチャートに示す全処理を終了し、当該自動登録処理が全てのユーザに対して終了していないものと判別した場合にはステップＳ４１に処理を進め、当該人物画像の自動登録処理の対象とするユーザの登録番号を「１」インクリメントして、処理をステップＳ３２に戻す。これにより、当該人物画像の自動登録処理の処理対象が、０００の登録番号が付されたユーザから００１の登録番号が付されたユーザに移行することとなる。そして、電話帳に登録されている全てのユーザに対して、上述の人物画像の自動登録処理が終了した際に（＝ステップＳ３８でＹｅｓと判別された際に）、この図６のフローチャートに示す全処理が終了する。
【００７１】
〔複数登録されている人物画像の表示切り替え動作〕
次に、この実施の形態の携帯電話機は、複数の人物画像が登録されている場合、そのユーザの人物画像を表示する際に、所定時間毎に、この登録されている複数の人物画像を切り替えて表示するようになっている。
【００７２】
具体的には、電話帳の個人情報の登録欄の表示時となると、制御部１２は、この表示を行うユーザの個人情報に基づいてメモリ１１を検索することで、当該表示を行うユーザに対して複数の人物画像が登録されているか否かを判別する。そして、複数の人物画像が登録されている場合、当該ユーザの個人情報を表示している間、例えば３秒間隔で、この登録されている複数の人物画像を切り替えて上記人物画像の表示領域に表示制御する。
【００７３】
また、音声電話やテレビ電話の発着信時となると、制御部１２は、この発着信したユーザの電話番号に基づいてメモリ１１を検索することで、当該ユーザに対して複数の人物画像が登録されているか否かを判別する。そして、複数の人物画像が登録されている場合、当該ユーザに対する電話呼び出しを行っている間、例えば３秒間隔で、この登録されている複数の人物画像を切り替えて上記人物画像の表示領域に表示制御する。
【００７４】
さらに、電子メールの発着信時となると、制御部１２は、この発着信したユーザの電子メールアドレスに基づいてメモリ１１を検索することで、当該ユーザに対して複数の人物画像が登録されているか否かを判別する。そして、複数の人物画像が登録されている場合、当該ユーザの電子メールを送受信してから１２秒の間、例えば３秒間隔で、この登録されている複数の人物画像を切り替えて上記人物画像の表示領域に表示制御する。
【００７５】
これにより、複数の人物画像が登録されている場合、電話帳の個人情報の登録欄の表示時や、電話、テレビ電話、電子メールの発着信時に、そのユーザの登録されている全ての人物画像を表示することを可能とすることができる。
【００７６】
［実施の形態の効果］
以上の説明から明らかなように、この実施の形態の携帯電話機は、テレビ電話の通話時に、通話相手の人物画像を取り込み、これを通話相手の人物画像としてメモリ１１に自動的に登録する。
【００７７】
また、電話帳に対して人物画像が登録されていないユーザからの電子メールを受信した際に、この受信した電子メールに添付画像ファイルが付加されている場合は、その添付画像ファイルから抽出した人物画像を、当該ユーザの人物画像として自動的に登録し、受信した電子メールに添付画像ファイルが付加されていない場合は、この受信した電子メールの表題或いは本文から抽出したテキストデータを、そのユーザの人物画像の代わりに自動的に登録する。
【００７８】
さらに、当該携帯電話機の充電時、或いは現在時刻が午後１２時００分や午前０時００分等の所定時刻となった際に、電話帳に登録されている各ユーザの人物画像の有無を判別し、人物画像が登録されていない場合、或いは複数の人物画像の登録が許可されている場合に、そのユーザの通話履歴、或いは電子メールから抽出したテキストデータを、そのユーザの人物画像の代わりに自動的に登録する。
【００７９】
これにより、電話帳内の各ユーザの人物画像を自動的に登録することができ、当該人物画像の面倒な登録作業を軽減することができる。
【００８０】
また、複数の人物画像が登録されている場合には、そのユーザの人物画像を表示する際に、所定時間毎に、この登録されている複数の人物画像を切り替えて表示する。これにより、そのユーザの人物画像を表示する際に、当該ユーザの登録されている全ての人物画像を表示することを可能とすることができる。
【００８１】
［変形例］
上述の実施の形態の説明では、本発明を携帯電話機に適用することとしたが、本発明は、この携帯電話機以外であっても、ＰＨＳ電話機（PHS：Personal Handyphone System）やＰＤＡ装置（PDA：Personal Digital Assistant）、或いはノート型のパーソナルコンピュータ装置等の携帯機器に適用しても上述と同じ効果を得ることができる。
【００８２】
最後に、本発明は、一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００８３】
【図１】本発明を適用した実施の形態となる携帯電話機のブロック図である。
【図２】実施の形態の携帯電話機のテレビ電話の通話時における人物画像の自動登録動作の流れを示すフローチャートである。
【図３】実施の形態となる携帯電話機における、テレビ電話の通話時に自動登録された人物画像の表示例を示す図である。
【図４】実施の形態の携帯電話機の電子メールの受信時における人物画像の自動登録動作の流れを示すフローチャートである。
【図５】実施の形態となる携帯電話機における、電子メールの受信時に自動登録された人物画像の表示例を示す図である。
【図６】実施の形態の携帯電話機の充電時、或いは所定時刻時における人物画像の自動登録動作の流れを示すフローチャートである。
【図７】実施の形態となる携帯電話機における、携帯電話機の充電時、或いは所定時刻時に自動登録された人物画像の表示例を示す図である。
【符号の説明】
【００８４】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  メモリ、１２  制御部
【図１】
0004753801.tif 000002
【図２】
0004753801.tif 000003
【図３】
0004753801.tif 000004
【図４】
0004753801.tif 000005
【図５】
0004753801.tif 000006
【図６】
0004753801.tif 000007
【図７】
0004753801.tif 000008